(57)【要約】【課題】大型化することなく、手軽に排出通路のメンテナンスを行えるパチンコ機を提供する。【解決手段】アウト口５０に入ったアウト球は、排出通路５２を介して本体１２の下方に排出される。排出通路５２は、本体１２の前面側を構成する前面部と本体１２の背面側を構成する背面部とを仕切るように設けられた本体ベース５４と、本体ベース５４の背面に固定される第２基板ケース５８と、本体ベース５４の背面に回動自在に設けられた第１基板ケース５６との間に形成された隙間から構成される。第１基板ケース５６を回動させることで、排出通路５２の内部が露呈され、排出通路５２のメンテナンスを行うことができる。【選択図】図４
2008188100.tif 000002
【特許請求の範囲】
【請求項１】
遊技盤に入賞口とアウト口とが設けられており、遊技球が入賞口に入った際には賞球の払い出しを行い、遊技球がアウト口に入った際にはアウト口に連通する排出通路を介してパチンコ機本体の外部へ排出するパチンコ機において、
前面側に遊技盤が配置された本体ベースと、
前面を前記本体ベースの背面に対面させた閉じ位置と、前面を前記本体ベースの背面に略垂直にした開き位置との間で回動自在に設けられるとともに、各種部品を搭載した第１基板が収められた第１基板ケースと、
各種部品を搭載した第２基板が収められた第２基板ケースとを有し、
前記第１基板ケースと前記第２基板ケースとが前記本体ベースの背面に並べて配置され、
前記第１基板ケースは、前記閉じ位置においては前記本体ベースの背面側の一部、並びに、前記第２基板ケースの一部と共同して前記排出通路を構成し、前記開き位置においては前記排出通路の内部を露呈させることを特徴とするパチンコ機。
【請求項２】
前記第１基板には各種部品から延びる配線に接続された配線側コネクタを差し込むためのケース側コネクタが搭載され、前記第１基板ケースに設けられた開口を介して、前記配線側コネクタと前記ケース側コネクタとが接続されるとともに、
前記配線側コネクタを前記ケース側コネクタに差し込んだ状態で前記第１基板ケースを前記開き位置に移動できるように、前記第１基板ケースの回動中心側に前記ケース側コネクタを配置したことを特徴とする請求項１記載のパチンコ機。
【発明の詳細な説明】
【技術分野】
【０００１】
本発明は、パチンコ店などの遊技場に設置されるパチンコ機に関するものである。
【背景技術】
【０００２】
パチンコ機には、遊技球が打ち出される遊技盤に、複数種類の入賞口が設けられており、各入賞口に遊技球が入賞すると、賞球が払い出されるなどの特典が遊技者に付与される。また、遊技盤の最下部にはアウト口が設けられており、入賞しなかった遊技球はこのアウト口に入るようになっている。入賞口やアウト口に入った遊技球は、遊技盤の背面側で合流された後、パチンコ機本体の前面と背面とのほぼ中間を通るように形成された排出通路を介してパチンコ機本体の下方に排出される（下記特許文献１参照）。
【特許文献１】特開２０００−２６２７０７号公報
【発明の開示】
【発明が解決しようとする課題】
【０００３】
しかしながら、上記特許文献１記載の装置は、排出通路のメンテナンスを行う場合、排出通路の周囲に配置された各種部品をそれぞれ取り外す必要があり、手軽にメンテナンスを行えないといった問題がある。
【０００４】
本発明は、上記背景を鑑みてなされたものであり、手軽に排出通路のメンテナンスを行えるパチンコ機を提供することを目的としている。
【課題を解決するための手段】
【０００５】
上記目的を達成するために、本発明のパチンコ機は、遊技盤に入賞口とアウト口とが設けられており、遊技球が入賞口に入った際には賞球の払い出しを行い、遊技球がアウト口に入った際にはアウト口に連通する排出通路を介してパチンコ機本体の外部へ排出するパチンコ機において、前面側に遊技盤が配置された本体ベースと、前面を前記本体ベースの背面に対面させた閉じ位置と、前面を前記本体ベースの背面に略垂直にした開き位置との間で回動自在に設けられるとともに、各種部品を搭載した第１基板が収められた第１基板ケースと、各種部品を搭載した第２基板が収められた第２基板ケースとを有し、前記第１基板ケースと前記第２基板ケースとが前記本体ベースの背面に並べて配置され、前記第１基板ケースは、前記閉じ位置においては前記本体ベースの背面側の一部、並びに、前記第２基板ケースの一部と共同して前記排出通路を構成し、前記開き位置においては前記排出通路の内部を露呈させることを特徴としている。
【０００６】
前記第１基板には各種部品から延びる配線に接続された配線側コネクタを差し込むためのケース側コネクタが搭載され、前記第１基板ケースに設けられた開口を介して、前記配線側コネクタと前記ケース側コネクタとが接続されるとともに、前記配線側コネクタを前記ケース側コネクタに差し込んだ状態で前記第１基板ケースを前記開き位置に移動できるように、前記第１基板ケースの回動中心側に前記ケース側コネクタを配置することが好ましい。
【発明の効果】
【０００７】
本発明によれば、第１基板ケースを開き位置に移動させることによって排出通路の内部を露呈できるので、手軽に排出通路のメンテナンスを行うことができる。
【０００８】
また、第１基板ケースの回動中心側の端部にケース側コネクタを設け、配線側コネクタをケース側コネクタに差し込んだ状態で第１基板ケースを開き位置に移動できるようにすれば、より手軽にメンテナンスを行うことができる。
【発明を実施するための最良の形態】
【０００９】
図１、図２において、パチンコ機１０は、本体１２の前面に上扉１４と下扉１６とが開閉自在に取り付けられている。上扉１４にはスピーカ１８が設けられている他、ガラス２０が組み込まれており、その奥側に設けられた遊技盤２２が視認可能となっている。下扉１６には受け皿２４が設けられており、賞球は受け皿２４に払い出される。また、下扉１６には受け皿２４の下方に発射ハンドル２６が取り付けられており、遊技者が発射ハンドル２６を操作することで遊技盤２２の下方に設けられた発射装置２８が駆動され、遊技盤２２の前面に遊技球が発射される。
【００１０】
遊技盤２２の前面には、流下する遊技球の動きに変化を与える遊技釘（図示せず）の他、袖入賞口３０、３２、始動入賞口３４、役物３６が設けられている。袖入賞口３０、３２に遊技球が入賞すると、予め決められた個数の遊技球（例えば、６個）が賞球として払い出される。始動入賞口３４に遊技球が入賞すると、賞球の払い出し（例えば、３個）に加え、当たり又はハズレを決定する当たり抽選が行われる。
【００１１】
役物３６には、液晶ディスプレイ３８が設けられ、この液晶ディスプレイ３８には、当たり抽選の結果が表示される。液晶ディスプレイ３８には、始動入賞口３４に遊技球が入賞すると、例えば１列が０〜９の数字からなる３列の図柄の変動表示が開始され、図柄が上から下へスクロールする。図柄は１列ずつ順次停止し、全ての図柄が停止したときに同一図柄が揃っていると当たりとなり、それ以外ではハズレとなる。図柄の変動表示は複数種類の変動パターンから抽選で決定された変動パターンで行われる。変動パターンはその種類に応じて当たり期待度が異なっている。
【００１２】
当たりに当選すると当たりモードに移行し、アタッカ４０が開放される。アタッカ４０が開放されるとその内面で遊技球の大半が大入賞口４２に案内され、多数の賞球を得ることができる。アタッカ４０は大入賞口４２に所定個数（例えば１０個）の遊技球が入賞するか又は開放時間が、例えば３０秒になると閉じられ、これにより第１ラウンドが終了する。当たりモードではアタッカ４０の開閉が繰り返されて第１５ラウンドで終了する。
【００１３】
また、遊技盤２２の前面には、アウト口５０が形成されている。アウト口５０は、遊技盤２２の最下部に設けられており、袖入賞口３０、３２、始動入賞口３４、大入賞口４２に入賞しなかった遊技球が入るようになっている。アウト口５０に入った遊技球（アウト球）は、遊技盤２２の背面側に形成された排出通路５２（図３、図４、図５参照）に案内され、排出通路５２を介して本体１２の下方に排出される。
【００１４】
図３、図４に示すように、パチンコ機１０の背面側からは本体１２を構成する各種部品が取り付けられた本体ベース５４が露呈されており、この本体ベース５４の背面に沿って排出通路５２が設けられている。本体ベース５４は、本体１２を前面側（前面部）と背面側（背面部）とに仕切るように設けられ、前面側には遊技盤２２が取り付けられ、背面側には賞球の払い出しを行う払い出し装置５５、及び、第１基板ケース５６、第２基板ケース５８が取り付けられている。
【００１５】
第１基板ケース５６は、払い出し装置５５の下方に配置されている。また、第１、第２の基板ケース５６、５８は、横方向に並べて配置されている。第１、第２の基板ケース５６、５８には、本体１２の背面部を構成する部品が収められている。本実施形態において、第１基板ケース５６には、払い出し装置５５を制御する払い出し制御回路や、この払い出し制御回路とパチンコ機１０の各部とを接続するためのケース側コネクタ７２などの各種部品を搭載した払い出し制御基板（第１基板）が収められている。また、第２基板ケース５８には、パチンコ機１０の各部に電力を供給する電源回路などの各種部品を搭載した電源基板（第２基板）が収められている。
【００１６】
そして、第２基板ケース５８は、本体ベース５４の背面にネジ止めされて固定される。他方、第１基板ケース５６は、ヒンジ６０を介して本体ベース５４に軸着され、図３に示す閉じ位置と、図４に示す開き位置との間で回動自在となっている。
【００１７】
第１基板ケース５６には、位置決めボス６２と、位置決め孔６４が設けられており、本体ベース５４には、位置決めボス６２に対応する位置決め孔６６が設けられ、位置決め孔６４に対応する位置決めボス６８が設けられている。第１基板ケース５６が閉じ位置に移動されると、位置決めボス６２が位置決め孔６６に嵌合し、位置決めボス６８が位置決め孔６４に嵌合することで、第１基板ケース５６が位置決めされる。
【００１８】
また、第１基板ケース５６には、スライドレバー７０と、ケース側コネクタ７２を露呈させる開口７３とが設けられている。スライドレバー７０は、上下方向にスライド自在に設けられている。また、スライドレバー７０は、突起７４、７６を備えている。そして、スライドレバー７０は、突起７４、７６を第２基板ケース５８に形成された突起７８、８０に係合させ、第１基板ケース５６を閉じ位置に係止する係止位置と、前記係止を解除する係止解除位置との間で移動される。
【００１９】
ケース側コネクタ７２には、パチンコ機１０の各部から延びる配線と接続された配線側コネクタ８２が差し込まれる。これにより、払い出し制御基板（第１基板）に搭載された各種部品とパチンコ機１０の各部とが電気的に接続される。ケース側コネクタ７２は、任意の位置に配置できるが、本実施形態では、払い出し制御基板（第１基板）のヒンジ６０側の端部に配置することで、配線側コネクタ８２をケース側コネクタ７２に差し込んだまま第１基板ケース５６を開き位置に移動できるようにしている。
【００２０】
排出通路５２は、上述した本体ベース５４と、第１基板ケース５６と、第２基板ケース５８との間に形成された隙間から構成される。排出通路５２は、第１基板ケース５６側、第２基板ケース５８側、並びに、前面側、背面側の４つの側壁を備え、水平方向の断面が略矩形に形成されている。
【００２１】
排出通路５２の第２ケース５８側の側壁は、本体ベース５４により構成される。また、排出通路５２の第１基板ケース５６側の側壁は、閉じ位置にセットされた第１基板ケース５６により構成される。第１基板ケース５６は、ヒンジ６０とは反対側の端面が平坦に形成されており、閉じ位置に移動された際にこの端面の一部（図４で２点鎖線で囲んだ部分）が排出通路５２の側壁として機能する。
【００２２】
また、図５に示すように、排出通路５２の前面側の側壁は本体ベース５４により構成され、排出通路５２の背面側の側壁は第２基板ケース５８により構成される。本体ベース５４には、アウト口５０と排出通路５２とを結ぶガイド通路８４が形成されている。そして、アウト球は、このガイド通路８４を介して排出通路５２に案内される。また、ガイド通路８４には、案内通路８６が接続されており、この案内通路８６を介して、袖入賞口３０、３２、始動入賞口３４、大入賞口４２に入賞した遊技球（入賞球）がガイド通路８４に合流されるようになっている。これにより、アウト球及び入賞球が排出通路５２を介して本体１２の下方に排出される。
【００２３】
以下、上記構成による本発明の作用について説明する。パチンコ機１０では、袖入賞口３０、３２、始動入賞口３４、大入賞口４２に入賞した入賞球が案内通路８６及びガイド通路８４により排出通路５２に案内される。また、これらに入賞しなかったアウト球がガイド通路８４により排出通路５２に案内される。排出通路５２は、本体１２の前面と背面とのほぼ中間に設けられており、入賞球及びアウト球は、この排出通路５２を介して本体１２の下方に排出される。
【００２４】
排出通路５２に異物が混入するなどして、排出通路５２のメンテナンスを行う場合は、スライドレバー７０を係止解除位置へ移動し、第１基板ケース５６を閉じ位置から開き位置に移動させる。排出通路５２の側壁の一部は、閉じ位置にセットされた第１基板ケース５６から構成されているので、第１基板ケース５６を開き位置に移動させることによって、排出通路５２の内部が露呈され、排出通路５２のメンテナンスを行うことができる。
【００２５】
また、第１基板ケース５６には、パチンコ機１０の各部から延びる配線に接続された配線側コネクタ８２が差し込まれるケース側コネクタ７２が設けられているが、このケース側コネクタ７２は第１基板ケース５６の回転中心側端部に設けられている。このため、排出通路５２のメンテナンスの際に、配線側コネクタ８２を差し込んだまま第１基板ケース５６を開き位置に移動できる。
【００２６】
このように、パチンコ機１０では、第１基板ケース５６を開き位置に移動させると排出通路５２の内部が露呈される。また、第１基板ケース５６を開き位置に移動させる際に、配線側コネクタ８２を取り外す必要もない。このため、簡単に排出通路５２のメンテナンスを行うことができる。
【００２７】
さらに、パチンコ機１０では、排出通路５２を本体１２の前面と背面とのほぼ中間に設けている。このため、排出通路をパチンコ機本体の背面に設ける場合と比較して、アウト口と排出通路とを繋ぐガイド通路の長さを短くすることができるので、パチンコ機が大型化してしまうといったこともない。また、パチンコ機１０では、排出通路５２を、本体ベース５４と第１基板ケース５６と第２基板ケース５８との間に形成された隙間から構成したので、例えば、パイプ状の部材を用いて排出通路を構成する場合と比較して、製造コストを削減できる。
【００２８】
なお、本発明は、上述した実施形態に限定されず、細部の構成は適宜変更できる。例えば、上記実施形態では、第１基板ケースを、水平面内で回動させる例で説明をしたが、第１基板ケースを垂直面内で回動させるようにしてもよい。
【００２９】
また、上記実施形態では、スライドレバーにより第１基板ケースを閉じ位置に係止する例で説明をしたが、本発明はこれに限定されるものではない。スライドレバー以外の周知の係止手段により第１基板ケースを閉じ位置に係止してもよい。
【００３０】
さらに、上記実施形態では、第１基板ケースと、第２基板ケースを別体に設ける例で説明をしたが、背面部全体を１つのユニットとして構成し、このユニットを、排出通路を構成する位置と排出通路の内部を露呈させる位置との間で回動自在に設けてもよい。
【図面の簡単な説明】
【００３１】
【図１】パチンコ機の前面側外観図である。
【図２】上扉と下扉を開放した状態を示すパチンコ機の前面側外観図である。
【図３】第２基板ケースを閉じ位置に移動させた状態を示すパチンコ機の背面側外観図である。
【図４】第２基板ケースを開き位置に移動させた状態を示すパチンコ機の背面側外観図である。
【図５】排出通路の断面図である。
【符号の説明】
【００３２】
１０  パチンコ機
１２  本体
２２  遊技盤
５０  アウト口
５２  排出通路
５４  本体ベース
５６  第１基板ケース
５８  第２基板ケース
６０  ヒンジ
６２、６８  位置決めボス
６４、６６  位置決め孔
７０  スライドレバー
７２  ケース側コネクタ
７３  開口
８２  配線側コネクタ
【図１】
2008188100.tif 000003
【図２】
2008188100.tif 000004
【図３】
2008188100.tif 000005
【図４】
2008188100.tif 000006
【図５】
2008188100.tif 000007